(57)【要約】【課題】輝度むらが大きい場合でも、効果的に輝度むら補正を行うことができる、補正データ生成装置、コンピュータプログラム、補正データ生成方法および表示パネルの製造方法を提供する。【解決手段】補正データ生成装置は、表示領域に任意の階調レベル毎の画像それぞれを順番に表示すべく制御する表示制御部と、任意の階調レベル毎に表示された各画像に対応して撮像部が撮像して得られた各撮像画像に基づいて補正対象階調レベルを特定する階調レベル特定部と、特定した補正対象階調レベルに基づいて補正データを生成する生成部とを備える。【選択図】図１
2020046469.tif 000002
【特許請求の範囲】
【請求項１】
表示パネルの表示領域の輝度むらを補正するための補正データを生成する補正データ生成装置であって、
前記表示領域に任意の階調レベル毎の画像それぞれを順番に表示すべく制御する表示制御部と、
前記任意の階調レベル毎に表示された各画像に対応して撮像部が撮像して得られた各撮像画像に基づいて補正対象階調レベルを特定する階調レベル特定部と、
該階調レベル特定部で特定した補正対象階調レベルに基づいて補正データを生成する生成部と
を備える補正データ生成装置。
【請求項２】
前記各撮像画像の輝度値が該各撮像画像に対応する各画像の階調レベルに対応した所定輝度値に一致するか否かを判定する判定部と、
該判定部で前記輝度値が前記所定輝度値に一致しないと判定された撮像画像に対応する画像の階調レベルに基づいて補正対象階調レベル範囲を抽出する抽出部と
を備え、
前記階調レベル特定部は、
前記抽出部で抽出した補正対象階調レベル範囲に基づいて補正対象階調レベルを特定する請求項１に記載の補正データ生成装置。
【請求項３】
前記判定部で一致しないと判定した場合、所定の階調輝度特性、前記各撮像画像の輝度値及び前記所定輝度値に基づいて、前記階調レベルでの階調補正量をそれぞれ算出する算出部を備え、
前記階調レベル特定部は、
前記算出部で算出した階調補正量に基づいて補正対象階調レベルを特定する請求項２に記載の補正データ生成装置。
【請求項４】
前記階調レベル特定部は、
前記算出部で算出した階調補正量の絶対値が最大となる撮像画像に対応する画像の階調に基づいて補正対象階調レベルを特定する請求項３に記載の補正データ生成装置。
【請求項５】
前記階調レベル特定部は、
前記算出部で算出した二つの階調補正量の和が最小となる二つの撮像画像に対応する画像の隣接する二つの階調レベルに基づいて補正対象階調レベルを特定する請求項３に記載の補正データ生成装置。
【請求項６】
前記表示制御部は、
前記階調レベル特定部で特定した補正対象階調レベルから所定階調レベル数だけ階調レベルを変化させた画像を表示すべく制御し、
前記撮像部で撮像して得られた撮像画像の輝度値と前記補正対象階調レベルに対応した所定輝度値との輝度差が所定の閾値以内であるか否かを判定する輝度差判定部を備え、
前記生成部は、
前記輝度差判定部で輝度差が前記所定の閾値以内であると判定した場合、前記補正対象階調レベルから変化した階調レベルに基づいて補正データを生成する請求項２から請求項５のいずれか一項に記載の補正データ生成装置。
【請求項７】
前記表示制御部は、
前記輝度差判定部で輝度差が前記所定の閾値以内でないと判定した場合、階調レベルをさらに所定階調レベル数だけ変化させた画像を表示すべく制御し、
前記輝度差判定部の処理を繰り返す請求項６に記載の補正データ生成装置。
【請求項８】
前記輝度差判定部で前記撮像画像の輝度値と前記所定輝度値との輝度差が前記所定の閾値以内でないと判定した場合、前記輝度値を有する画素で構成される輝度むら領域を特定する領域特定部を備え、
前記表示制御部は、
前記領域特定部で特定した領域の階調レベルを所定階調レベル数だけ変化させた画像を表示すべく制御する請求項７に記載の補正データ生成装置。
【請求項９】
コンピュータに、表示パネルの表示領域の輝度むらを補正するための補正データを生成させるためのコンピュータプログラムであって、
コンピュータに、
前記表示領域に任意の階調レベル毎の画像それぞれを順番に表示すべく制御する処理と、
前記任意の階調レベル毎に表示された各画像を撮像部に撮像させる処理と、
前記各画像に対応して前記撮像部が撮像して得られた各撮像画像に基づいて補正対象階調レベルを特定する処理と、
特定した補正対象階調レベルに基づいて補正データを生成する処理と
を実行させるコンピュータプログラム。
【請求項１０】
表示パネルの表示領域の輝度むらを補正するための補正データを生成する補正データ生成装置が行う補正データ生成方法であって、
前記表示領域に任意の階調レベル毎の画像それぞれを順番に表示すべく制御し、
前記任意の階調レベル毎に表示された各画像を撮像部で撮像し、
前記各画像に対応して前記撮像部が撮像して得られた各撮像画像に基づいて補正対象階調レベルを特定し、
特定された補正対象階調レベルに基づいて補正データを生成する
補正データ生成方法。
【請求項１１】
請求項１０に記載の方法によって生成された補正データに基づいて、入力階調−輝度特性を決めるルックアップテーブルを作成し、表示パネルが有する記憶装置に書き込む工程を含む、表示パネルの製造方法。
【発明の詳細な説明】
【技術分野】
【０００１】
本発明は、表示パネルの表示領域の輝度むらを補正するための補正データを生成する補正データ生成装置、該補正データ生成装置を実現するためのコンピュータプログラム、補正データ生成方法およびこれらを用いた表示パネルの製造方法に関する。
【背景技術】
【０００２】
液晶ディスプレイ（ＬＣＤ）、有機ＥＬディスプレイ（ＯＬＥＤ）等の表示装置では、製造工程上の種種の理由により、表示パネルの表示領域の全画素に対してある中間調を呈する電圧を与えても、ある画素の輝度が他の画素の輝度よりも高く（大きく）なる場合、あるいは低く（小さく）なる場合が生じ、表示領域に明るい部分又は暗い部分が現れる輝度むらが発生することがある。このような「輝度むら」は、入力階調−輝度特性（「γ特性」ともいう。）が、目標の（あるいは設定された）γ特性と異なる画素が存在することによって生じる。本明細書中の「輝度むら」は、このγ特性が目標からずれた画素が存在することに起因するものをいう。また、所定の輝度からずれることを「輝度異常」という。
【０００３】
そこで、表示パネルに表示された画像を、撮像装置を用いて撮影し、撮影した結果に基づいて表示パネルの各画素に対応する補正データを生成する補正システムが開示されている（特許文献１参照）。
【先行技術文献】
【特許文献】
【０００４】
【特許文献１】国際公開第２０１２／１３３８９０号
【発明の概要】
【発明が解決しようとする課題】
【０００５】
図１０を参照して、目標の階調輝度特性（γ特性、例えば、γ＝２．２）と異なる階調輝度特性を有する画素（「異常画素」という。）が存在することによって、輝度むらが生じることを説明する。図１０は表示パネルの階調輝度特性の一例を示す説明図であり、正常画素の階調輝度特性（実線）と異常画素の階調輝度特性（破線）とを示す。ある階調を表示した領域内に、正常画素と異常画素とが混在し、正常画素の輝度と異常画素の輝度との差が許容値を超えると、輝度むらとして認識される。
図１０において、横軸は階調を示し、縦軸は輝度を示す。階調は、例えば、０（黒）〜２５５（白）の階調レベルからなる２５６階調である。図中の実線で示す正常画素の階調輝度特性は、目標の階調輝度特性であり、既知であるのに対し、破線で示す異常画素の階調輝度特性は、未知であり、画素によって変わり得る。
【０００６】
次に、図１１を参照して、従来の補正システムがどのように輝度むらを補正するかについて説明する。図１１は従来の輝度むら補正方法の一例を示す説明図であり、図１０中の符号Ａで示す部分に対応する階調輝度特性であり、表示パネルに表示した画像を撮像した画像（撮像画像）から得られた階調輝度特性である。ここで、撮像画像における、表示パネルの正常画素に対応する部分を正常位置と呼び、異常画素に対応する部分を異常位置と呼ぶことがあるが、簡単のために、撮像画像においても正常画素および異常画素ということもある。図１１中、実線は正常位置の階調輝度特性（既知）を示し、破線は異常位置の階調輝度特性（未知）を示す。輝度むらを補正するには、正常位置の輝度と、異常位置の輝度との輝度差を階調に変換する必要がある。
【０００７】
図１１に、異常位置の階調輝度特性において補正対象の階調レベルに対する輝度を符号Ｐ１で表し、正常位置の階調輝度特性においてこの補正対象の階調レベルに対する輝度を符号Ｐ３で表す。Ｐ１とＰ３との輝度差が、補正する階調レベルでの輝度むらの原因である。
符号Ｐ２で表される輝度は、正常位置の階調輝度特性での輝度Ｐ１と同じ輝度である。異常位置の階調輝度特性は未知のため、正常位置の階調輝度特性とほぼ同一であると仮定すると、補正に必要な階調量（階調補正量）ΔＧは、正常位置の階調輝度特性での輝度Ｐ２と輝度Ｐ３との輝度差に対応する階調レベル差となる。すなわち、補正する階調レベルから階調補正量ΔＧだけ階調レベルを下げることにより、輝度は、Ｐ１からＰ３になるはずである。しかし、異常位置の階調輝度特性が、正常位置の階調輝度特性から比較的大きくずれている場合、補正する階調レベルからΔＧだけ階調レベルを補正しても、得られる輝度が符号Ｐ４で示すようにＰ３と一致せず、Ｐ４とＰ３との差が、輝度差となって輝度むらが残る。
【０００８】
図１２は従来の補正システムでの補正による表示パネルの状態の一例を示す模式図である。図１２の左側の図に示すように、輝度むら補正前には、表示パネルの中央付近に輝度むら（便宜上、模様を付した領域）が発生している。なお、輝度むらは、周囲の輝度よりも暗い場合、あるいは周囲の輝度よりも明るい場合がある。図１２の右側の図に示すように、輝度むら補正後でも、表示パネルの中央付近に輝度むら（便宜上、模様を付した領域）が残る。このように、従来の補正システムでは、異常位置の階調輝度特性が正常位置の階調輝度特性から大きくずれる場合、補正後も輝度むらが消えずに残るため、補正データの生成を複数回繰り返す必要がある。
【０００９】
本発明は斯かる事情に鑑みてなされたものであり、輝度むらが大きい場合でも、効果的に輝度むら補正を行うことができる補正データ生成装置、コンピュータプログラム、補正データ生成方法および表示パネルの製造方法を提供することを目的とする。
【課題を解決するための手段】
【００１０】
本発明の実施の形態に係る補正データ生成装置は、表示パネルの表示領域の輝度むらを補正するための補正データを生成する補正データ生成装置であって、前記表示領域に任意の階調レベル毎の画像それぞれを順番に表示すべく制御する表示制御部と、前記任意の階調レベル毎に表示された各画像に対応して撮像部が撮像して得られた各撮像画像に基づいて補正対象階調レベルを特定する階調レベル特定部と、該階調レベル特定部で特定した補正対象階調レベルに基づいて補正データを生成する生成部とを備える。
【００１１】
本発明の実施の形態に係るコンピュータプログラムは、コンピュータに、表示パネルの表示領域の輝度むらを補正するための補正データを生成させるためのコンピュータプログラムであって、コンピュータに、前記表示領域に任意の階調レベル毎の画像それぞれを順番に表示すべく制御する処理と、前記任意の階調レベル毎に表示された各画像を撮像部に撮像させる処理と、前記各画像に対応して前記撮像部が撮像して得られた各撮像画像に基づいて補正対象階調レベルを特定する処理と、特定した補正対象階調レベルに基づいて補正データを生成する処理とを実行させる。
【００１２】
本発明の実施の形態に係る補正データ生成方法は、表示パネルの表示領域の輝度むらを補正するための補正データを生成する補正データ生成装置が行う補正データ生成方法であって、前記表示領域に任意の階調レベル毎の画像それぞれを順番に表示すべく制御し、前記任意の階調レベル毎に表示された各画像を撮像部で撮像し、前記各画像に対応して前記撮像部が撮像して得られた各撮像画像に基づいて補正対象階調レベルを特定し、特定された補正対象階調レベルに基づいて補正データを生成する。
本発明の実施の形態に係る表示パネルの製造方法は、上記の補正データ生成方法によって生成された補正データに基づいて、入力階調−輝度特性を決めるルックアップテーブルを作成し、表示パネルが有する記憶装置に書き込む工程を含む。
【発明の効果】
【００１３】
本発明の実施の形態によれば、輝度むらが大きい場合でも、効果的に輝度むら補正を行うことができる。
【図面の簡単な説明】
【００１４】
【図１】実施の形態の補正データ生成装置の構成の一例を示すブロック図である。
【図２】実施の形態の算出部による階調補正量の算出方法の一例を示す説明図である。
【図３】階調補正量の分布の一例を示す模式図である。
【図４】補正対象階調レベル範囲の一例を示す模式図である。
【図５】実施の形態の補正データ生成装置による補正データの生成方法の一例を示す模式図である。
【図６】実施の形態の補正データ生成装置が行う補正による表示パネルの状態の一例を示す模式図である。
【図７】実施の形態の補正データ生成装置による補正対象階調レベルの特定方法の他の例を示す模式図である。
【図８】実施の形態の補正データ生成装置の処理手順の一例を示すフローチャートである。
【図９】実施の形態の補正データ生成装置の処理手順の一例を示すフローチャートである。
【図１０】表示パネルの階調輝度特性の一例を示す説明図である。
【図１１】従来の輝度むら補正方法の一例を示す説明図である。
【図１２】従来の補正システムでの補正による表示パネルの状態の一例を示す模式図である。
【発明を実施するための形態】
【００１５】
以下、本発明の実施の形態を図面に基づいて説明する。なお、本発明の実施の形態は、例示する実施の形態に限定されない。
図１は本発明のある実施の形態の補正データ生成装置１０の構成の一例を示すブロック図である。図１に示すように、補正データ生成装置１０は、信号発生回路４０を介して表示パネル３０に接続されている。信号発生回路４０は、補正データ生成装置１０が出力する指令に基づいて、例えば、画像データ、及び画像を表示するための制御信号等をソース基板３１及びゲート基板３３を介して表示パネル３０へ出力する。
【００１６】
表示パネル３０は、表示領域１（表示画面）を有し、ソースドライバ（図示せず）が実装されたソース入力辺にはソース基板３１が、また、ゲートドライバ（図示せず）が実装されたゲート入力辺にはゲート基板３３が設けられている。また、ソース基板３１にはメモリ３２が実装されている。メモリ３２は、表示領域１を構成する各画素の輝度ずれ補正値を記憶する。すなわち、メモリ３２は、表示領域１を構成する各画素に対応させてアドレスを割り当て、それぞれのアドレスに対応する画素の輝度ずれ補正値を格納する補正テーブルのようなものとすることができる。
【００１７】
カメラ５０は、撮像部としての機能を有し、表示パネル３０の表示領域１に表示された画像（より具体的には、検査用の画像）を撮像し、撮像して得られた撮像画像（撮像データ）を補正データ生成装置１０へ出力する。
【００１８】
補正データ生成装置１０は、装置全体を制御する制御部１１、表示制御部１２、取得部１３、判定部１４、抽出部１５、階調レベル特定部１６、算出部１７、輝度差判定部１８、生成部１９、領域特定部２０などを備える。
【００１９】
表示制御部１２は、表示領域１に任意の階調レベル毎の画像それぞれを順番に表示すべく制御する。例えば、階調レベルが０（黒）〜２５５（白）の２５６段階である場合、階調レベルが０、１、２、…２５５までの２５６個の画像を順番に表示してもよく、階調レベルを０、２、４、…２５５の如く間引きした階調レベルの画像を表示してもよい。また、階調レベルが大きく（高く）なるに応じて、階調レベルの間引きの度合を大きくしてもよい。画像は、全画素が同一の階調レベルを呈する検査用の画像とすることができる。実施の形態では、階調レベルＮ（例えば、Ｎは０から２５５）の画像を順番に表示するものとするが、表示する画像の階調レベル、階調レベル数、階調レベルの順番は適宜決定することができる。
【００２０】
取得部１３は、表示領域１に異なる階調レベルの画像が表示される都度、カメラ５０によって当該画像を撮像して得られた各撮像画像（撮像データ）をカメラ５０から取得する。
【００２１】
判定部１４は、取得部１３で取得した各撮像画像の輝度値が各撮像画像に対応する各画像の階調レベルＮに対応した所定輝度値Ｌｎに一致するか否かを判定する。階調レベルＮに対応した所定輝度値Ｌｎとは、正常な階調輝度特性上の任意の階調レベルＮ（Ｎは、例えば、０〜２５５など）に対する輝度値とすることができる。
【００２２】
すなわち、ある階調レベルＮにおいて、撮像画像の画素の輝度値が所定輝度値Ｌｎに一致する場合、当該画素の輝度と階調レベルＮとは、正常な階調輝度特性上にあるといえる。また、ある階調レベルＮにおいて、撮像画像の画素の輝度値が所定輝度値Ｌｎに一致しない場合、当該画素の輝度と階調レベルＮとは、正常な階調輝度特性上になく、輝度異常が発生していると考えられる。
【００２３】
算出部１７は、判定部１４で一致しないと判定した場合、所定の階調輝度特性、各撮像画像の輝度値及び所定輝度値Ｌｎに基づいて、当該階調レベルＮでの階調補正量をそれぞれ算出する。所定の階調輝度特性は、輝度異常がない位置での階調輝度特性（正常位置の階調輝度特性）である。
【００２４】
図２は実施の形態の算出部１７による階調補正量の算出方法の一例を示す説明図である。図２中、実線は正常画素の階調輝度特性（既知）を示し、破線は異常画素の階調輝度特性（未知）を示す。任意の階調レベルをＮで表す。
【００２５】
図２に示すように、Ｎ階調レベルの画像を撮像して得られた撮像画像（より具体的には、撮像画像の画素）の輝度値をＬ１とし、Ｎ階調レベルに対応する所定輝度値をＬｎとする。所定輝度値Ｌｎは、正常位置の階調輝度特性における輝度値である。輝度値Ｌ１と所定輝度値Ｌｎとの輝度差をΔＬ１とする。算出部１７は、正常位置の階調輝度特性での輝度Ｌ１と所定輝度値Ｌｎとの輝度差ΔＬ１に対応する階調レベル差を階調補正量Ｇｎとして算出する。
【００２６】
図３は階調補正量の分布の一例を示す模式図である。図３において、横軸は階調レベルを示し、例えば、階調レベル０から階調レベル２５５とすることができる。縦軸は階調補正量を示す。図３に示すように、全階調レベルに亘っての階調補正量の分布を求めることができる。階調レベルＮでの階調補正量が正である場合は、階調レベルＮでの画素の輝度値が所定輝度値Ｌｎより小さい場合であり、周囲の輝度よりも暗い輝度異常であることを示す。また、階調レベルＮでの階調補正量が負である場合は、階調レベルＮでの画素の輝度値が所定輝度値Ｌｎより大きい場合であり、周囲の輝度よりも明るい輝度異常であることを示す。
【００２７】
なお、図３に示す階調補正量は、一例であって、図３のような分布に限定されるものではない。また、表示領域１の各画素の位置に応じて、階調補正量の分布は異なる。例えば、輝度異常がない位置（正常画素）の階調補正量は、全階調レベルに亘って０となる。また、輝度異常がある位置（異常画素）の階調補正量は、画素の位置に応じて異なる分布となる場合がある。
【００２８】
抽出部１５は、判定部１４で輝度値が所定輝度値Ｌｎに一致しないと判定された１又は複数の撮像画像それぞれに対応する１又は複数の画像それぞれの階調レベルＮに基づいて補正対象階調範囲を抽出する。
【００２９】
図４は補正対象階調レベル範囲の一例を示す模式図である。図４において、横軸は階調レベルを示し、縦軸は階調補正量を示す。図４に示すように、算出部１７で算出された階調補正量が正又は負であって、０でない階調レベルを含む階調レベル範囲を補正対象階調レベル範囲として抽出することができる。すなわち、抽出部１５は、輝度異常が発生していると考えられる１又は複数の階調レベルを含む階調レベル範囲を補正対象階調レベル範囲として抽出することができる。なお、補正対象階調レベル範囲に含まれる全ての階調レベルにおいて輝度異常が発生していてもよく、補正対象階調レベル範囲に含まれる一部の階調レベルにおいて輝度異常が発生していてもよい。
【００３０】
階調レベル特定部１６は、抽出部１５で抽出した補正対象階調レベル範囲に基づいて１又は複数の補正対象階調レベルを特定する。例えば、階調レベル特定部１６は、補正対象階調レベル範囲に含まれる階調レベルにおいて、輝度異常が最も大きい階調レベルを補正対象階調レベルＮｒとして特定することができる。
【００３１】
上述の構成により、任意の階調レベルにおいて輝度異常が大きい画素が存在する場合でも、抽出した補正対象階調レベル範囲に基づいて補正対象階調レベルを特定するので、補正すべき階調レベルを簡易に特定することができる。
【００３２】
なお、階調レベル特定部１６は、補正対象階調レベル範囲に含まれる階調レベルにおいて、輝度異常が大きい順番に所要数の階調レベルを補正対象階調レベルとして特定することもできる。
【００３３】
より具体的には、階調レベル特定部１６は、算出部１７で算出した階調補正量に基づいて補正対象階調レベルＮｒを特定することができる。これにより、輝度異常の程度を考慮して補正すべき階調レベルを特定することができる。
【００３４】
また、図４に示すように、階調レベル特定部１６は、算出部１７で算出した階調補正量の絶対値が最大となる撮像画像に対応する画像の階調レベルに基づいて補正対象階調レベルを特定することができる。すなわち、階調レベル特定部１６は、補正に必要な階調補正量Ｇｎの絶対値が最大となる階調レベルを補正対象階調レベルＮｒとして特定することができる。これにより、任意の階調レベルにおいて輝度異常が大きい画素が存在する場合でも、補正すべき階調レベルを簡易に特定することができる。なお、図４の例では、補正対象階調レベルＮｒを一つだけ特定しているが、これに限定されるものではなく、複数の補正対象階調レベルＮｒを特定してもよい。
【００３５】
上述のように、階調レベル特定部１６は、任意の階調レベル毎に表示された各画像に対応してカメラ５０が撮像して得られた各撮像画像に基づいて補正対象階調レベルＮｒを特定する。補正対象階調レベルＮｒは、全階調レベルのうちの幾つかの所望の階調レベルであり、補正の対象とする階調レベルである。補正対象階調レベルＮｒは、例えば、輝度異常が大きい階調レベルとすることができる。なお、補正対象階調レベルＮｒ以外の階調レベルについては、補正対象階調レベルＮｒで得られた補正データに基づいて補間等により補正データを求めればよい。
【００３６】
生成部１９は、階調レベル特定部１６で特定した補正対象階調レベルＮｒに基づいて補正データを生成する。例えば、異常位置（輝度異常が発生している画素）の輝度が周囲よりも明るい輝度異常が発生している場合、異常位置の輝度を暗くするように階調を補正したときに、補正の前後での階調差が、例えば、−５とすると、異常位置に対する補正値が、−５となるように補正データを生成する。
【００３７】
同様に、異常位置（輝度異常が発生している画素）の輝度が周囲よりも暗い輝度異常が発生している場合、異常位置の輝度を明るくするように階調を補正したときに、補正の前後での階調差が、例えば、＋５とすると、異常位置に対する補正値が、＋５となるように補正データを生成する。なお、補正なしのときの補正値（初期値）は、例えば、０とすることができる。
【００３８】
上述のように、任意の階調レベル毎の画像を表示して補正対象階調レベルを特定し、特定した補正対象階調レベルに基づいて補正データを生成することにより、輝度異常が大きい場合でも、補正すべき階調レベルを簡易に特定することができるとともに、特定した補正対象階調レベルに対して補正データを生成することにより詳細な輝度むら補正を行うことができる。
【００３９】
次に、特定した補正対象階調レベルに基づいて、補正データを生成する方法について具体的に説明する。
【００４０】
図５は実施の形態の補正データ生成装置１０による補正データの生成方法の一例を示す模式図である。図５において、実線は正常画素の階調輝度特性（既知）を示し、破線は異常画素の階調輝度特性（未知）を示す。なお、以下では、補正対象階調レベルをＮｒとし、補正対象階調レベルＮｒでの階調補正量Ｇｎｒを用いて補正したとしても、輝度むらが残るものとして説明する。
【００４１】
表示制御部１２は、階調レベル特定部１６で特定した補正対象階調レベルＮｒから所定階調レベル数だけ階調レベルを変化させた画像を表示すべく制御する。所定階調レベル数をΔＮで表す。ΔＮは、１でもよく、２又は３などの数値であってもよい。表示制御部１２は、例えば、階調レベル（Ｎｒ−１）又は階調レベル（Ｎｒ＋１）の画像を表示する。
【００４２】
輝度差判定部１８は、表示領域１に表示された階調レベル（Ｎｒ−ΔＮ）の画像をカメラ５０で撮像して得られた撮像画像の輝度値と補正対象階調レベルＮｒに対応した所定輝度値Ｌｎとの輝度差が所定の閾値以内であるか否かを判定する。
【００４３】
図５に示すように、補正対象階調レベルＮｒでの階調補正量をＧｎｒとし、階調補正量Ｇｎｒだけ補正した場合の輝度値と所定輝度値Ｌｎとの輝度差をΔＬとする。輝度差ΔＬは、補正対象階調レベルＮｒで階調の補正を行ったときに、補正量の過不足によって生じる輝度差である。階調レベル（Ｎｒ−ΔＮ）の画像を撮像して得られた撮像画像の画素の輝度値と所定輝度値Ｌｎとの輝度差が所定の閾値以内であれば、階調レベルをＮｒからΔＮだけ変化させることにより、輝度値が略ΔＬ値だけ小さくなったことになり、輝度むらが解消する。
【００４４】
生成部１９は、輝度差判定部１８で輝度差が所定の閾値以内であると判定した場合、補正対象階調レベルＮｒから変化した階調レベル数ΔＮに基づいて補正データを生成する。
【００４５】
図５に示すように、補正対象階調レベルＮｒでの階調補正量をＧｎｒとし、階調レベル（Ｎｒ−ΔＮ）の画像を撮像して得られた撮像画像の画素の輝度値Ｌ２と所定輝度値Ｌｎとの輝度差が所定の閾値以内であるとすると、補正対象階調レベルＮｒでの階調補正量は、（Ｇｎｒ＋ΔＮ）とすることができる。これにより、輝度異常が生じている画素の階調輝度特性が、輝度異常がない正常な階調輝度特性と異なっていても正確に（詳細に）輝度むらを補正することができる。
【００４６】
図５の例では、補正対象階調レベルＮｒから階調レベル数ΔＮだけ変化させることにより、輝度むらを補正することができる場合を示したが、階調レベル数ΔＮだけ１回変化させても、輝度むらを解消することができない場合には、以下のようにすればよい。
【００４７】
すなわち、表示制御部１２は、輝度差判定部１８で輝度差が所定の閾値以内でないと判定した場合、階調レベルをさらに所定階調レベル数ΔＮだけ変化させた画像を表示すべく制御し、輝度差判定部１８の処理を繰り返す。
【００４８】
例えば、補正対象階調レベルＮｒでの階調補正量をＧｎｒとし、階調レベル（Ｎｒ−ΔＮ）の画像を撮像して得られた撮像画像の画素の輝度値と所定輝度値Ｌｎとの輝度差が所定の閾値以内でないとすると、表示制御部１２は、例えば、階調レベル（Ｎｒ−２×ΔＮ）の画像を表示する。階調レベル（Ｎｒ−２×ΔＮ）の画像を撮像して得られた撮像画像の画素の輝度値と所定輝度値Ｌｎとの輝度差が所定の閾値以内であるとすると、補正対象階調レベルＮｒでの階調補正量は、（Ｇｎｒ＋２×ΔＮ）とすることができる。これにより、異常画素の階調輝度特性が、正常画素の階調輝度特性と異なっていても、正確に（詳細に）輝度むらを補正することができる。
【００４９】
上述の例では、補正対象階調レベルＮｒを基準として、階調レベルが小さくなる方向に所定階調レベル数ΔＮだけ変化させる場合について説明したが、輝度異常が周囲の輝度よりも暗い場合には、補正対象階調レベルＮｒを基準として、階調レベルが大きくなる方向に所定階調レベル数ΔＮだけ変化させればよい。
【００５０】
図６は実施の形態の補正データ生成装置１０が行う補正による表示パネルの状態の一例を示す模式図である。図６の左側の図に示すように、輝度むら補正前には、表示パネルの中央付近に輝度むら（便宜上、模様を付した領域）が発生している。なお、輝度異常は、周囲の輝度よりも暗くてもよく、あるいは周囲の輝度よりも明るくてもよい。図６の右側の図に示すように、補正データ生成装置１０が行う補正によって、輝度むらが解消される。
【００５１】
図７は実施の形態の補正データ生成装置１０による補正対象階調レベルの特定方法の他の例を示す模式図である。階調レベル特定部１６は、算出部１７で算出した二つの階調補正量の和が最小となる二つの撮像画像に対応する画像の隣接する二つの階調レベルに基づいて補正対象階調レベルを特定する。
【００５２】
二つの階調補正量の和が最小となる場合とは、例えば、図７に示すように、一方の階調補正量が負の最大値となり、他方の階調補正量が、正の最大値である場合とすることができる。また、一方の階調補正量が負の値となり、他方の階調補正量が正の値であって、一方の階調補正量の絶対値と同程度であれば、さらに好適である。
【００５３】
二つの補正対象階調レベルをＮ１、Ｎ２とすると、補正対象階調レベルＮ１とＮ２との間で階調補正量を補間する場合、補正対象階調レベルＮ１、Ｎ２での階調補正量の和が最小となるので、補正量の誤差を小さくすることができ、補間対象の階調レベルにおいても輝度異常がなくなるように補正することができる。
【００５４】
なお、図７の例では、二つの階調補正量は、正及び負の場合について示したが、これに限定されるものではなく、二つの階調補正量のいずれもが、正又は負であってもよい。例えば、二つの階調補正量が共に正である場合、二つの階調補正量の間での階調補正量が直線的に変化するように、二つの補正対象階調レベルをＮ１、Ｎ２を特定すればよい。このようにすることで、補正対象階調レベルＮ１とＮ２との間で階調補正量を補間する場合、補正量の誤差を小さくすることができ、補間対象の階調レベルにおいても輝度異常がなくなるように補正することができる。
【００５５】
上述の例では、補正対象階調レベルＮｒを基準として、階調レベルを所定階調レベル数ΔＮだけ変化させる場合、表示領域１全体の画像の階調レベルを所定階調レベル数ΔＮだけ変化させてもよく、以下のように、輝度異常が発生している領域だけに限定してもよい。すなわち、領域特定部２０は、輝度差判定部１８で撮像画像の輝度値と所定輝度値Ｌｎとの輝度差が所定の閾値以内でないと判定した場合、当該輝度値を有する画素で構成される輝度異常領域を特定する。
【００５６】
表示制御部１２は、領域特定部２０で特定した領域の階調レベルを所定階調レベル数だけ変化させた画像を表示すべく制御する。これにより、表示パネル３０の表示領域１全体の階調レベルを変更する必要がなく、輝度異常が生じている領域（輝度異常領域）の階調レベルを変更すればよく、処理が簡便になる。
【００５７】
次に、実施の形態の補正データ生成装置１０の動作について説明する。図８及び図９は実施の形態の補正データ生成装置１０の処理手順の一例を示すフローチャートである。以下では便宜上、処理の主体を制御部１１として説明する。制御部１１は、階調レベルＮ＝０に設定し（Ｓ１１）、階調レベルＮの画像を表示する（Ｓ１２）。なお、Ｎは、例えば、０〜２５５とすることができるが、これに限定されるものではない。
【００５８】
制御部１１は、階調レベルＮの画像がカメラ５０で撮像されて得られた撮像画像（階調レベルＮの画像に対応する撮像画像）を取得し（Ｓ１３）、撮像画像の輝度値が所定輝度値Ｌｎに一致するか否かを判定する（Ｓ１４）。ここで、所定輝度値Ｌｎは、正常画素の階調輝度特性における階調レベルＮに対応する輝度値である。
【００５９】
撮像画像の輝度値が所定輝度値Ｌｎに一致しない場合（Ｓ１４でＮＯ）、制御部１１は、階調補正量Ｇｎを算出する（Ｓ１５）。階調補正量Ｇｎは、正常な階調輝度特性において、撮像画像の輝度値と所定輝度値Ｌｎとの輝度差に対応する階調レベル差である。制御部１１は、階調レベルＮを補正対象階調レベルの候補として特定する（Ｓ１６）。撮像画像の輝度値が所定輝度値Ｌｎに一致する場合（Ｓ１４でＹＥＳ）、制御部１１は、後述のステップＳ１７の処理を行う。
【００６０】
制御部１１は、全階調レベル終了したか否かを判定する（Ｓ１７）。例えば、Ｎ＝２５５の場合、全階調レベル終了したと判定することができる。全階調レベル終了していない場合（Ｓ１７でＮＯ）、制御部１１は、Ｎ＝Ｎ＋１とし（Ｓ１８）、ステップＳ１２以降の処理を繰り返す。全階調レベル終了した場合（Ｓ１７でＹＥＳ）、制御部１１は、補正対象階調レベル範囲を抽出し（Ｓ１９）、算出した階調補正量に基づいて補正対象階調レベルＮｒを特定する（Ｓ２０）。なお、補正対象階調レベルＮｒの数は、一つに限定されるものではなく、複数個特定してもよい。
【００６１】
制御部１１は、補正対象階調レベルＮｒから階調レベル数ΔＮだけ変化した階調レベルの画像を表示する（Ｓ２１）。階調レベル数ΔＮは、例えば、＋１又は−１とすることができるが、±１に限定されるものではない。また、異常画素の輝度が周囲よりも明るい場合には、ΔＮを−１とすることができる。また、異常画素の輝度が周囲よりも暗い場合には、ΔＮを＋１とすることができる。
【００６２】
制御部１１は、階調レベル（Ｎｒ−ΔＮ）の画像、あるいは階調レベル（Ｎｒ＋ΔＮ）の画像がカメラ５０で撮像されて得られた撮像画像を取得し（Ｓ２２）、撮像画像の輝度値と補正対象階調レベルＮｒに対応した所定輝度値Ｌｎとの輝度差が閾値以内であるか否かを判定する（Ｓ２３）。ここで、所定輝度値Ｌｎは、正常な階調輝度特性における補正対象階調レベルＮｒに対応する輝度値である。
【００６３】
輝度差が閾値以内でない場合（Ｓ２３でＮＯ）、制御部１１は、ΔＮ＝ΔＮ＋１、又はΔＮ＝ΔＮ−１とし（Ｓ２４）、さらに階調レベル数ΔＮだけ変化させて、ステップＳ２１以降の処理を繰り返す。輝度差が閾値以内である場合（Ｓ２３でＹＥＳ）、制御部１１は、すべての補正対象階調レベルについて処理が終了したか否かを判定し（Ｓ２５）、すべての補正対象階調レベルについて処理が終了していない場合（Ｓ２５でＮＯ）、ステップＳ２１以降の処理を繰り返す。
【００６４】
すべての補正対象階調レベルについて処理が終了した場合（Ｓ２５でＹＥＳ）、制御部１１は、階調レベル数ΔＮに基づいて補正データを生成し（Ｓ２６）、補正データの書き込みを行い（Ｓ２７）、処理を終了する。
【００６５】
実施の形態の補正データ生成装置１０は、ＣＰＵ（プロセッサ）、ＲＡＭなどを備えた汎用コンピュータを用いて実現することもできる。すなわち、図８及び図９に示すような、各処理の手順を定めたコンピュータプログラムをコンピュータに備えられたＲＡＭにロードし、コンピュータプログラムをＣＰＵ（プロセッサ）で実行することにより、コンピュータ上で補正データ生成装置１０を実現することができる。
【００６６】
上述の実施の形態において、輝度むらが生じている領域において、周囲より明るい輝度異常と周囲よりも暗い輝度異常が同時に発生している場合には、輝度が明るい部分については暗くなるように階調レベルを変更するとともに、同時に、輝度が暗い部分については明るくなるように階調レベルを変更することによって、カメラ５０による撮影回数を削減することができる。
【００６７】
上述の実施の形態では、信号発生回路４０と補正データ生成装置１０とは別個の装置として説明したが、これに限定されるものではなく、補正データ生成装置１０に信号発生回路４０を組み込む構成であってもよい。
【００６８】
また、上述の各実施例において記載されている構成は、お互いに組み合わせることが可能であり、組み合わせをすることにより、新しい技術的特徴を形成することができる。
【００６９】
実施の形態に係る補正データ生成装置は、表示パネルの表示領域の輝度むらを補正するための補正データを生成する補正データ生成装置であって、前記表示領域に任意の階調レベル毎の画像それぞれを順番に表示すべく制御する表示制御部と、前記任意の階調レベル毎に表示された各画像に対応して撮像部が撮像して得られた各撮像画像に基づいて補正対象階調レベルを特定する階調レベル特定部と、該階調レベル特定部で特定した補正対象階調レベルに基づいて補正データを生成する生成部とを備える。
【００７０】
実施の形態に係るコンピュータプログラムは、コンピュータに、表示パネルの表示領域の輝度むらを補正するための補正データを生成させるためのコンピュータプログラムであって、コンピュータに、前記表示領域に任意の階調レベル毎の画像それぞれを順番に表示すべく制御する処理と、前記任意の階調レベル毎に表示された各画像を撮像部に撮像させる処理と、前記各画像に対応して前記撮像部が撮像して得られた各撮像画像に基づいて補正対象階調レベルを特定する処理と、特定した補正対象階調レベルに基づいて補正データを生成する処理とを実行させる。
【００７１】
実施の形態に係る補正データ生成方法は、表示パネルの表示領域の輝度むらを補正するための補正データを生成する補正データ生成装置が行う補正データ生成方法であって、前記表示領域に任意の階調レベル毎の画像それぞれを順番に表示すべく制御し、前記任意の階調レベル毎に表示された各画像を撮像部で撮像し、前記各画像に対応して前記撮像部が撮像して得られた各撮像画像に基づいて補正対象階調レベルを特定し、特定された補正対象階調レベルに基づいて補正データを生成する。
【００７２】
表示制御部は、表示領域に任意の階調レベル毎の画像それぞれを順番に表示すべく制御する。例えば、階調レベルが０（黒）〜２５５（白）の２５６段階である場合、階調レベル０、１、２、…２５５までの２５６個の画像を順番に表示してもよく、階調レベル０、２、４、…２５５の如く間引きした階調レベルの画像を表示してもよい。また、階調レベルが大きく（高く）なるに応じて、階調レベルの間引きの度合を大きくしてもよい。画像は、全画素の階調レベルが同一の検査用の画像とすることができる。
【００７３】
階調レベル特定部は、任意の階調レベル毎に表示された各画像に対応して撮像部が撮像して得られた各撮像画像に基づいて補正対象階調レベルを特定する。補正対象階調レベルは、全階調レベルのうちの幾つかの所望の階調レベルであり、補正の対象とする階調レベルである。補正対象階調レベルは、例えば、輝度異常が大きい階調レベルとすることができる。なお、補正対象階調レベル以外の階調レベルについては、補正対象階調レベルで得られた補正データに基づいて補間等により補正データを求めればよい。
【００７４】
生成部は、階調レベル特定部で特定した補正対象階調レベルに基づいて補正データを生成する。例えば、異常画素の輝度が周囲よりも明るい場合、異常画素の輝度を暗くするように階調レベルを補正したときに、補正の前後での階調レベル差が、例えば、−５とすると、異常画素に対する補正値が、−５となるように補正データを生成する。なお、補正なしのときの補正値（初期値）は、例えば、０とすることができる。
【００７５】
上述のように、任意の階調レベル毎の画像を表示して補正対象階調レベルを特定し、特定した補正対象階調レベルに基づいて補正データを生成することにより、輝度むらが大きい場合でも、補正すべき階調レベルを簡易に特定することができるとともに、特定した補正対象階調レベルに対して補正データを生成することにより詳細な輝度むら補正を行うことができる。
【００７６】
実施の形態に係る補正データ生成装置は、前記各撮像画像の輝度値が該各撮像画像に対応する各画像の階調レベルに対応した所定輝度値に一致するか否かを判定する判定部と、該判定部で前記輝度値が前記所定輝度値に一致しないと判定された撮像画像に対応する画像の階調レベルに基づいて補正対象階調レベル範囲を抽出する抽出部とを備え、前記階調レベル特定部は、前記抽出部で抽出した補正対象階調レベル範囲に基づいて補正対象階調レベルを特定する。
【００７７】
判定部は、各撮像画像の輝度値が各撮像画像に対応する各画像の階調レベルに対応した所定輝度値に一致するか否かを判定する。階調レベルに対応した所定輝度値とは、正常な階調輝度特性における任意の階調レベルに対する輝度値とすることができる。すなわち、ある階調レベルにおいて、撮像画像の画素の輝度値が所定輝度値に一致する場合、当該画素の輝度と階調レベルとは、正常な階調輝度特性の関係にあるといえる。また、ある階調レベルにおいて、撮像画像の画素の輝度値が所定輝度値に一致しない場合、当該画素の輝度と階調レベルとは、正常な階調輝度特性の関係になく、輝度異常が発生していると考えられる。
【００７８】
抽出部は、判定部で輝度値が所定輝度値に一致しないと判定された撮像画像に対応する画像の階調レベルに基づいて補正対象階調レベル範囲を抽出する。例えば、抽出部は、輝度異常が発生していると考えられる１又は複数の階調レベルを含む階調レベル範囲を補正対象階調レベル範囲として抽出することができる。なお、補正対象階調レベル範囲に含まれる全ての階調レベルにおいて輝度異常が発生していてもよく、補正対象階調レベル範囲に含まれる一部の階調レベルにおいて輝度異常が発生していてもよい。
【００７９】
階調レベル特定部は、抽出部で抽出した補正対象階調レベル範囲に基づいて補正対象階調レベルを特定する。例えば、階調レベル特定部は、補正対象階調レベル範囲に含まれる階調レベルにおいて、輝度異常が最も大きい階調レベルを補正対象階調レベルとして特定することができる。また、階調レベル特定部は、補正対象階調レベル範囲に含まれる階調レベルにおいて、輝度異常が大きい順番に所要数の階調レベルを補正対象階調レベルとして特定することができる。
【００８０】
上述の構成により、任意の階調レベルにおいて輝度異常が大きい画素が存在する場合でも、抽出した補正対象階調レベル範囲に基づいて補正対象階調レベルを特定するので、補正すべき階調レベルを簡易に特定することができる。
【００８１】
実施の形態に係る補正データ生成装置は、前記判定部で一致しないと判定した場合、所定の階調輝度特性、前記各撮像画像の輝度値及び前記所定輝度値に基づいて、前記階調での階調補正量をそれぞれ算出する算出部を備え、前記階調レベル特定部は、前記算出部で算出した階調補正量に基づいて補正対象階調レベルを特定する。
【００８２】
算出部は、判定部で一致しないと判定した場合、所定の階調輝度特性、各撮像画像の輝度値及び所定輝度値に基づいて、当該階調レベルでの階調補正量をそれぞれ算出する。所定の階調輝度特性は、正常画素の階調輝度特性である。任意の階調レベルをＮで表す。階調レベルＮの画像を撮像して得られた撮像画像（より具体的には、撮像画像の画素）の輝度値をＬ１とし、階調レベルＮに対応する所定輝度値をＬｎとする。所定輝度値Ｌｎは、正常画素の階調輝度特性における輝度値である。輝度値Ｌ１と所定輝度値Ｌｎとの輝度差をΔＬ１とする。算出部は、正常位置の階調輝度特性上での輝度Ｌ１と所定輝度値Ｌｎとの輝度差に対応する階調レベル差を階調補正量として算出する。
【００８３】
階調レベル特定部は、算出部で算出した階調レベル補正量に基づいて補正対象階調レベルを特定する。これにより、輝度異常の程度を考慮して補正すべき階調レベルを特定することができる。
【００８４】
実施の形態に係る補正データ生成装置において、前記階調レベル特定部は、前記算出部で算出した階調補正量の絶対値が最大となる撮像画像に対応する画像の階調レベルに基づいて補正対象階調レベルを特定する。
【００８５】
階調レベル特定部は、算出部で算出した階調補正量の絶対値が最大となる撮像画像に対応する画像の階調レベルに基づいて補正対象階調レベルを特定する。すなわち、階調レベル特定部は、補正に必要な階調補正量Ｇｎの絶対値が最大となる階調レベルを補正対象階調レベルとして特定する。これにより、任意の階調レベルにおいて輝度異常が大きい画素が存在する場合でも、補正すべき階調レベルを簡易に特定することができる。
【００８６】
実施の形態に係る補正データ生成装置において、前記階調レベル特定部は、前記算出部で算出した二つの階調補正量の和が最小となる二つの撮像画像に対応する画像の隣接する二つの階調レベルに基づいて補正対象階調レベルを特定する。
【００８７】
階調レベル特定部は、算出部で算出した二つの階調補正量の和が最小となる二つの撮像画像に対応する画像の隣接する二つの階調レベルに基づいて補正対象階調レベルを特定する。二つの階調補正量の和が最小となる場合とは、例えば、一方の階調補正量が負の値となり、他方の階調補正量が、正の値である場合とすることができる。また、一方の階調補正量が負の値となり、他方の階調補正量が正の値であって、一方の階調補正量の絶対値と同程度であれば、さらに好適である。
【００８８】
二つの補正対象階調レベルをＮ１、Ｎ２とすると、補正対象階調レベルＮ１とＮ２との間で階調補正量を補間する場合、補正対象階調レベルＮ１、Ｎ２での階調補正量の和が最小となるので、補正量の誤差を小さくすることができ、補間対象の階調レベルにおいても輝度異常がなくなるように補正することができる。
【００８９】
実施の形態に係る補正データ生成装置において、前記表示制御部は、前記階調レベル特定部で特定した補正対象階調レベルから所定階調レベルだけ階調レベルを変化させた画像を表示すべく制御し、前記撮像部で撮像して得られた撮像画像の輝度値と前記補正対象階調レベルに対応した所定輝度値との輝度差が所定の閾値以内であるか否かを判定する輝度差判定部を備え、前記生成部は、前記輝度差判定部で輝度差が前記所定の閾値以内であると判定した場合、前記補正対象階調レベルから変化した階調レベルに基づいて補正データを生成する。
【００９０】
表示制御部は、階調レベル特定部で特定した補正対象階調レベルから所定階調レベル数だけ階調レベルを変化させた画像を表示すべく制御する。補正対象階調レベルをＮｒで表し、所定階調レベル数をΔＮで表す。ΔＮは、１でもよく、２又は３などの数値であってもよい。表示制御部は、例えば、（Ｎｒ−１）階調又は（Ｎｒ＋１）階調の画像を表示する。
【００９１】
輝度差判定部は、撮像部で撮像して得られた撮像画像の輝度値と補正対象階調レベルに対応した所定輝度値との輝度差が所定の閾値以内であるか否かを判定する。例えば、補正対象階調レベルＮｒでの階調補正量をＧｎｒとし、階調補正量Ｇｎｒだけ補正した場合の輝度値と所定輝度値Ｌｎとの輝度差をΔＬとする。輝度差ΔＬは、補正対象階調レベルＮｒで階調の補正を行ったときに、補正量の過不足によって生じる輝度差である。階調レベル（Ｎｒ−ΔＮ）の画像を撮像して得られた撮像画像の画素の輝度値と所定輝度値Ｌｎとの輝度差が所定の閾値以内であれば、階調レベルをＮｒからΔＮだけ変化させることにより、輝度値が略ΔＬ値だけ小さくなったことになり、輝度むらが解消する。
【００９２】
生成部は、輝度差判定部で輝度差が所定の閾値以内であると判定した場合、補正対象階調レベルから変化した階調レベルに基づいて補正データを生成する。例えば、補正対象階調レベルＮｒでの階調補正量をＧｎｒとし、階調レベル（Ｎｒ−ΔＮ）の画像を撮像して得られた撮像画像の画素の輝度値と所定輝度値Ｌｎとの輝度差が所定の閾値以内であるとすると、補正対象階調レベルＮｒでの階調補正量は、（Ｇｎｒ＋ΔＮ）とすることができる。これにより、正確に（詳細に）輝度むらを補正することができる。
【００９３】
実施の形態に係る補正データ生成装置において、前記表示制御部は、前記輝度差判定部で輝度差が前記所定の閾値以内でないと判定した場合、階調レベルをさらに所定階調レベル数だけ変化させた画像を表示すべく制御し、前記輝度差判定部の処理を繰り返す。
【００９４】
表示制御部は、輝度差判定部で輝度差が所定の閾値以内でないと判定した場合、階調レベルをさらに所定階調レベル数だけ変化させた画像を表示すべく制御し、輝度差判定部の処理を繰り返す。例えば、補正対象階調レベルＮｒでの階調補正量をＧｎｒとし、階調レベル（Ｎｒ−ΔＮ）の画像を撮像して得られた撮像画像の画素の輝度値と所定輝度値Ｌｎとの輝度差が所定の閾値以内でないとすると、表示制御部は、例えば、階調レベル（Ｎｒ−２×ΔＮ）の画像を表示する。階調レベル（Ｎｒ−２×ΔＮ）の画像を撮像して得られた撮像画像の画素の輝度値と所定輝度値Ｌｎとの輝度差が所定の閾値以内であるとすると、補正対象階調レベルＮｒでの階調補正量は、（Ｇｎｒ＋２×ΔＮ）とすることができる。これにより、正確に（詳細に）輝度むらを補正することができる。
【００９５】
実施の形態に係る補正データ生成装置は、前記輝度差判定部で前記撮像画像の輝度値と前記所定輝度値との輝度差が前記所定の閾値以内でないと判定した場合、前記輝度値を有する画素で構成される輝度異常領域を特定する領域特定部を備え、前記表示制御部は、前記領域特定部で特定した領域の階調レベルを所定階調レベル数だけ変化させた画像を表示すべく制御する。
【００９６】
領域特定部は、輝度差判定部で撮像画像の輝度値と所定輝度値との輝度差が所定の閾値以内でないと判定した場合、当該輝度値を有する画素で構成される輝度異常領域を特定する。表示制御部は、領域特定部で特定した領域の階調レベルを所定階調レベル数だけ変化させた画像を表示すべく制御する。これにより、表示パネルの表示領域全体の階調レベルを変更する必要がなく、輝度異常が生じている領域（輝度異常領域）の階調レベルを変更すればよく、処理が簡便になる。
本発明の他の実施の形態による補正データ生成方法は、以下の工程を含んでよい。
表示パネルの全ての画素に複数の階調レベルを表示させた画像（べた画像）のデータを用意する。ここで、複数の階調レベルは、全階調である必要はなく、飛び飛びに選択された任意の数の階調レベルであってよい。また、画像は、任意のデータ形式に変換されてよい。
予め準備された上記画像データを用いて、上述した方法で、補正データを作成する。
上記画像データが、例えば、全ての階調レベル（ただし、黒は除いてもよい。）についての画像データである場合、全ての異常画素の階調輝度特性が既知となるので、異常画素の輝度を正常画素の輝度に補正するための階調補正量を直接求めることができる。
また、上記画像データを用いて、補正すべき異常画素を含む表示パネル上の領域および階調レベルを特定することができる。
上記画像データの生成に当っては、階調レベルを飛び飛びで粗く設定した画像データを一旦生成し、この粗い画像データに基づいて、補正すべき異常画素を含む表示パネル上の領域および階調レベル（範囲）を選択し、その後、選ばれた領域または階調レベル（範囲）またはそれを含む領域または階調レベル範囲について、さらに細かい階調レベル（例えば、１階調レベル毎）に画像データを生成し、補正データを作成してもよい。
【符号の説明】
【００９７】
１  表示領域
１０  補正データ生成装置
１１  制御部
１２  表示制御部
１３  取得部
１４  判定部
１５  抽出部
１６  階調レベル特定部
１７  算出部
１８  輝度差判定部
１９  生成部
２０  領域特定部
３０  表示パネル
３２  メモリ
【図１】
2020046469.tif 000003
【図２】
2020046469.tif 000004
【図３】
2020046469.tif 000005
【図４】
2020046469.tif 000006
【図５】
2020046469.tif 000007
【図６】
2020046469.tif 000008
【図７】
2020046469.tif 000009
【図８】
2020046469.tif 000010
【図９】
2020046469.tif 000011
【図１０】
2020046469.tif 000012
【図１１】
2020046469.tif 000013
【図１２】
2020046469.tif 000014